(57)【要約】  【課題】  片手のみによりケースから拳銃を円滑かつ迅速に取り出すことができる拳銃ホルダーを提供する。  【解決手段】  拳銃２０を収納するための収納部１１と、収納部に収納された拳銃の全部又は一部を被覆し得るカバー部１２とを有し、カバー部は枢軸ピン１６ａ，１６ｂにより収納部に枢着され、カバー部を回動させることにより拳銃の床尾２１が現われ出るように形成されている。またカバー部には、手指を掛けることが可能な引掛け部１２ｄが設けられている。【選択図】  図１
2006029645.tif 000002
【特許請求の範囲】
【請求項１】
拳銃を収納するための収納部と、該収納部に収納された拳銃の全部又は一部を被覆し得るカバー部とを有し、該カバー部は回動可能に前記収納部に枢着され、該カバー部を回動させることにより拳銃の床尾の全部又は一部が現われ出るように形成されたものである拳銃ホルダー。
【請求項２】
前記カバー部には、手指を掛けることが可能な引掛け部が設けられたことを特徴とする請求項１に記載の拳銃ホルダー。
【請求項３】
前記収納部は上端付近に対向する一対の側面部を有し、前記カバー部は拳銃の床尾を跨ぐように配置される対向する一対の側面部を有し、前記収納部の両側面部と前記カバー部の両側面部とがそれぞれ枢軸により回動可能に形成されたものである請求項１に記載の拳銃ホルダー。
【発明の詳細な説明】
【技術分野】
【０００１】
本発明は、警察官等が拳銃を身に付ける際に使用する拳銃ホルダーに関する。
【背景技術】
【０００２】
従来の拳銃ホルダーは、例えば、図３（ａ）（ｂ）に示したように、拳銃を収納するための収納部５１にカバー部５２が設けられ、このカバー部５２が開閉可能なようにホック５３等により収納部５１に結合され、収納部５１にはベルト等を通すための装着部５４が設けられている。カバー部５２を開けるときには、ホック５３を外し、カバー部５２を矢印Ａ方向に捲り上げている。
このような拳銃ホルダー５０では安全性の確保のために、カバー部５２を開けた後に手を離すと、カバー部５２は自動的に図示した状態まで戻り、常に拳銃を覆うように形成されている。したがって、拳銃ホルダー５０から拳銃を取り出すためには、一方の手でカバー部５２を開けて保持し、他方の手で拳銃の床尾を握る必要があり、瞬間的に両手が塞がってしまう。暴漢との格闘時には、咄嗟に拳銃を抜かなければならない事態が生じる可能性もあり、そのようなときに、両手が塞がってしまうと、充分に防御ができなくなる虞がある。
【０００３】
なお、拳銃ホルダーの先行技術を調査した結果、下記の文献が見つかった。
【特許文献１】特開平９−２２９５９６号公報
【特許文献２】特開平７−１５９０９２号公報
【発明の開示】
【発明が解決しようとする課題】
【０００４】
本発明の課題は、片手のみによりケースから拳銃を円滑かつ迅速に取り出すことができる拳銃ホルダーを提供することにある。
【課題を解決するための手段】
【０００５】
本発明では、拳銃を収納するための収納部と、該収納部に収納された拳銃の全部又は一部を被覆し得るカバー部とを有し、該カバー部は回動可能に前記収納部に枢着され、該カバー部を回動させることにより拳銃の床尾の全部又は一部が現われ出るように形成されたものである拳銃ホルダーが提供される。
本発明の拳銃ホルダーでは、カバー部が収納部に枢着されているものであるため、片手でもカバー部は回動させることが可能であり、このように回動させれば、拳銃の床尾の全部又は一部は現われ出て、同じ手で拳銃の床尾を握って取り出すことができる。
【０００６】
本発明の拳銃ホルダーにおいて、前記カバー部には、手指を掛けることが可能な引掛け部を設けることが好ましい。このような引掛け部があれば、ここに手指のいずれかの部位を掛けて押すだけで、カバー部を回動させることができ、その同じ手指により円滑かつ迅速に拳銃の床尾を握り、取り出すことが可能になる。
【０００７】
本発明の拳銃ホルダーにおいて、前記収納部は上端付近に対向する一対の側面部を有し、前記カバー部は拳銃の床尾を跨ぐように配置される対向する一対の側面部を有し、前記収納部の両側面部と前記カバー部の両側面部とがそれぞれ枢軸により回動可能に形成されたものとすることができる。
【発明の効果】
【０００８】
本発明の拳銃ホルダーは、ケースから拳銃を片手のみにより円滑かつ迅速に取り出すことが可能になり、例えば、暴漢等に襲われたときには、片手で防御しながら、もう一方の手で拳銃を取り出すことも可能である。
【発明を実施するための最良の形態】
【０００９】
以下、図面を参照して本発明について説明するが、本発明はこれに限定されるものではない。
図１は本発明の拳銃ホルダーの一実施態様を示す図であり、（ａ）は側面図、（ｂ）はその裏面を示した図、（ｃ）は拳銃ホルダー１０を前方、すなわち（ａ）における矢印Ｂ方向から見た図である。また図２（ａ）〜（ｃ）は拳銃ホルダー１０から拳銃２０を取出す過程を示した側面図である。
拳銃ホルダー１０は、収納部１１とカバー部１２と装着部１３とから主要な部分が構成されている。収納部１１は少なくとも拳銃２０の銃身を収納することが可能な程度の大きさ、且つ上端から拳銃２０の床尾２１（図２（ｂ）参照）が突き出る程度の大きさに形成されている。この収納部１１には装着部１３が固定ピン１４ａ，１４ｂにより固定されており、収納部１１と装着部１３との間には隙間１５が形成され、この隙間１５にベルト等が通されて拳銃使用者が携帯し得るようになっている。
【００１０】
カバー部１２は、図２（ａ）に示したように、収納部１１に収納された拳銃２０の床尾２１を被覆し得る程度の大きさに形成されており、図１（ｃ）に示したように、ほぼＵ字状に湾曲したものである。このＵ字状の一方の壁面１２ａは枢着ピン１６ａにより収納部１１の壁面１１ａに回動可能に取り付けられ、Ｕ字状の他方の壁面１２ｂは枢着ピン１６ｂにより収納部１１の壁面１１ｂに回動可能に取り付けられている。カバー部１２の壁面１２ｂには、固定ピン１４ａを回避するように切欠き１２ｃが形成され、これによりカバー部１２は枢着ピン１６ａ，１６ｂのみにより枢着され得るようになっている。
またカバー部１２には、手指を掛けることが可能なように引掛け部１２ｄが形成されており、ここに手指のいずれかの部位（好ましくは親指）を掛けて押すだけで、カバー部１２が枢着ピン１６ａ，１６ｂを回転軸として回動できるようになっている。カバー部１２は、手指等により力を加えない限り回動することは無く、また回動後に従来のように初期の位置まで自動的に戻ることも無い。
【００１１】
なお、図示はしないが、拳銃ホルダー１０には、収納部１１に収納された拳銃２０を固定するための慣用のロック部材を設けても良い。このロック部材は、片手で解除可能なように構成されたものである。
【００１２】
次に、本発明の拳銃ホルダー１０から拳銃２０を取り出す方法について、図２（ａ）〜（ｃ）を参照して説明する。
拳銃ホルダー１０に拳銃２０が収納されているときには、図２（ａ）に示したように、カバー部１２は拳銃２０の床尾２１を覆うように位置している。この状態の拳銃ホルダー１０から拳銃２０を取り出す際には、カバー部１２の引掛け部１２ｄに親指などの手指を掛けて押す。このように引掛け部１２ｄを押すと、カバー部１２は枢着ピン１６ａ，１６ｂを中心に矢印Ｒ方向に回動して、図２（ｂ）に示したように、拳銃２０の床尾２１が現れ出る。カバー部１２は、回動した後に手指等により力を加えない限り、初期の位置まで自動的に戻ることはなく、したがって、矢印Ｒ方向に回動させた同じ手により、拳銃２０の床尾２１を把持し、図２（ｃ）に示したように、拳銃ホルダー１０からの取り出しが可能になる。以上のように、本発明の拳銃ホルダー１０では、収納部１１に収納された状態から、拳銃２０を取り出すまでの一連の操作が、片手のみにより円滑かつ迅速に行うことが可能である。
なお、図示はしていないが、拳銃２０を収納部１１に固定する慣用のロック部材が拳銃ホルダー１０に設けられている場合にも、カバー部１２を矢印Ｒ方向に回動させた同じ手で、このロック部材を解除するものであり、拳銃２０の取り出しまでの一連の操作は、同様に、片手のみにより行うことが可能である。
【図面の簡単な説明】
【００１３】
【図１】本発明の拳銃ホルダーの一実施態様を示す図であり、（ａ）は側面図、（ｂ）はその裏面を示した図、（ｃ）は前方から見た図である。
【図２】（ａ）〜（ｃ）は拳銃ホルダーから拳銃を取出す過程を示す側面図である。
【図３】（ａ）は従来例の側面図、（ｂ）は従来例を前方から見た図である。
【符号の説明】
【００１４】
１０  拳銃ホルダー
１１  収納部
１２  カバー部
１２ｄ  引掛け部
１３  装着部
１６ａ，１６ｂ  枢着ピン
【図１】
2006029645.tif 000003
【図２】
2006029645.tif 000004
【図３】
2006029645.tif 000005